(57)【要約】【課題】  記録用紙のＲＦＩＤタグがセンサーの検知範囲外となった場合であっても、記録用紙の存在を把握できるデータ管理システムを提供することを目的とする。【解決手段】  記録用紙を識別する識別情報が、当該記録用紙に添付されたＲＦＩＤタグに書込まれた場合に、管理対象となる記録用紙が発生した旨を示す管理情報を生成する第１管理情報生成部２０１と、ＲＦＩＤタグの状態に変化があったことをセンサーが検知した場合に、その変化に関する管理情報を生成する第２管理情報生成部２０２と、これらの管理情報を管理情報記憶部２０４に登録する管理情報登録部２０３と、を有することを特徴とする。【選択図】  図４
2009009425.tif 000002
【特許請求の範囲】
【請求項１】
記録媒体を識別する識別情報が、当該記録媒体に添付された非接触型素子に書込まれた場合に、管理対象となる記録媒体が発生した旨を示す第１の管理情報を生成する第１の生成手段と、
前記非接触型素子の状態に変化があった場合に、その変化に関する第２の管理情報を生成する第２の生成手段と、
前記変化を検知する検知手段と、
前記第１の管理情報及び第２の管理情報を記憶手段に登録する登録手段と、
を有することを特徴とするデータ管理システム。
【請求項２】
前記第１の管理情報及び前記第２の管理情報を表示手段に時系列に表示させる表示制御手段を有することを特徴とする請求項１に記載のデータ管理システム。
【請求項３】
前記変化は、所定の領域に対する前記非接触型素子の出入りに関する検知の有無であることを特徴とする請求項１または２に記載のデータ管理システム。
【請求項４】
前記変化は、継続的な検知の可否あることを特徴とする請求項１または２に記載の記載のデータ管理システム。
【請求項５】
前記変化は、前記非接触型素子の裁断に関する検知の有無であることを特徴とする請求項１または２に記載のデータ管理システム。
【請求項６】
記録媒体を識別する識別情報が、当該記録媒体に添付された非接触型素子に書込まれた場合に、管理対象となる記録媒体が発生した旨を示す第１の管理情報を生成する第１の生成手段と、
前記非接触型素子の状態に変化があったことを検知手段が検知した場合に、その変化に関する第２の管理情報を生成する第２の生成手段と、
前記第１の管理情報及び第２の管理情報を記憶手段に登録する登録手段と、
を有することを特徴とするデータ管理用サーバ装置。
【請求項７】
コンピュータを、
記録媒体を識別する識別情報が、当該記録媒体に添付された非接触型素子に書込まれた場合に、管理対象となる記録媒体が発生した旨を示す第１の管理情報を生成する第１の生成手段と、
前記非接触型素子の状態に変化があったことを検知手段が検知した場合に、その変化に関する第２の管理情報を生成する第２の生成手段と、
前記第１の管理情報及び第２の管理情報を記憶手段に登録する登録手段として機能させることを特徴とするデータ管理プログラム。
【発明の詳細な説明】
【技術分野】
【０００１】
本発明は、データ管理システム、データ管理用サーバ装置及びデータ管理プログラムに関する。
【背景技術】
【０００２】
デジタル複合機の分野では、非接触型素子（例えばＲＦＩＤタグ（Radio Frequency Identification tag））が埋め込まれた紙等の記録媒体に、文字や図形等を描画するとともに、非接触型素子に記録媒体を識別する識別情報を書込む技術が知られている。例えば、特許文献１では、非接触型素子に書込まれた識別情報をセンサーで検知して、検知結果をＰＣ（Personal Computer）内でデータベース化することで、記録媒体の位置の特定を容易にすることが開示されている。
【特許文献１】特開２００４−３１０２９３号公報
【発明の開示】
【発明が解決しようとする課題】
【０００３】
本発明は、記録媒体の非接触型素子がセンサーの検知範囲外となった場合であっても、記録媒体の存在を把握できるデータ管理システムを提供することを目的とする。
【課題を解決するための手段】
【０００４】
請求項１に記載の発明は、記録媒体を識別する識別情報が、当該記録媒体に添付された非接触型素子に書込まれた場合に、管理対象となる記録媒体が発生した旨を示す第１の管理情報を生成する第１の生成手段と、非接触型素子の状態に変化があった場合に、その変化に関する第２の管理情報を生成する第２の生成手段と、変化を検知する検知手段と、第１の管理情報及び第２の管理情報を記憶手段に登録する登録手段と、を有することを特徴とするデータ管理システムである。
【０００５】
請求項２に記載の発明は、請求項１に記載の発明において、第１の管理情報及び第２の管理情報を表示手段に時系列に表示させる表示制御手段を有することを特徴としている。
【０００６】
請求項３に記載の発明は、請求項１または２に記載の発明において、変化は、所定の領域に対する非接触型素子の出入りに関する検知の有無であることを特徴としている。
【０００７】
請求項４に記載の発明は、請求項１または２に記載の発明において、変化は、継続的な検知の可否あることを特徴としている。
【０００８】
請求項５に記載の発明は、請求項１または２に記載の発明において、変化は、非接触型素子の裁断に関する検知の有無であることを特徴としている。
【０００９】
請求項６に記載の発明は、記録媒体を識別する識別情報が、当該記録媒体に添付された非接触型素子に書込まれた場合に、管理対象となる記録媒体が発生した旨を示す第１の管理情報を生成する第１の生成手段と、非接触型素子の状態に変化があったことを検知手段が検知した場合に、その変化に関する第２の管理情報を生成する第２の生成手段と、第１の管理情報及び第２の管理情報を記憶手段に登録する登録手段と、を有することを特徴とするデータ管理用サーバ装置である。
【００１０】
請求項７に記載の発明は、コンピュータを、記録媒体を識別する識別情報が、当該記録媒体に添付された非接触型素子に書込まれた場合に、管理対象となる記録媒体が発生した旨を示す第１の管理情報を生成する第１の生成手段と、非接触型素子の状態に変化があったことを検知手段が検知した場合に、その変化に関する第２の管理情報を生成する第２の生成手段と、第１の管理情報及び第２の管理情報を記憶手段に登録する登録手段として機能させることを特徴とするデータ管理プログラムである。
【発明の効果】
【００１１】
請求項１に係る発明によれば、記録媒体の非接触型素子がセンサーの検知範囲外となった場合であっても、記録用紙の存在を把握できる。
【００１２】
請求項２に係る発明によれば、管理情報を表示装置に時系列に表示させることができる。
【００１３】
請求項３に係る発明によれば、非接触型素子の所定の領域への出入りが把握できる。
【００１４】
請求項４に係る発明によれば、非接触型素子の検知不能が把握できる。
【００１５】
請求項５に係る発明によれば、非接触型素子の裁断が把握できる。
【００１６】
請求項６に係る発明によれば、記録媒体の非接触型素子がセンサーの検知範囲外となった場合であっても、記録用紙の存在を把握できる。
【００１７】
請求項７に係る発明によれば、記録媒体の非接触型素子がセンサーの検知範囲外となった場合であっても、記録用紙の存在を把握できる。
【発明を実施するための最良の形態】
【００１８】
以下、本発明の実施形態について、図面を参照して具体的に説明する。
図１は本発明の実施形態に係るデータ管理システムの構成図である。
データ管理システムは、図１に示すように、デジタル複合機１００、データ管理用サーバ装置２００、センサー３００ａ、３００ｂ等から構成される。これらは、ケーブルやネットワーク機器等で構成されるネットワーク４００を介して互いに接続される。
【００１９】
まず、デジタル複合機１００について詳しく説明する。
図２はデジタル複合機１００の要部構成を示す機能ブロック図、図３は画像処理部１０３のハードウェア構成を示すブロック図である。
デジタル複合機１００は、図２に示すように、操作部１０１、ＩＤカード読取部１０２、画像処理部１０３、印刷部１０４、識別情報書込部１０５、情報送信部１０６等から構成される。
【００２０】
操作部１０１は、例えば液晶ディスプレイやスピーカ等で構成される。当該液晶ディスプレイは例えばタッチパネル方式で構成され、画像処理に関する操作内容が表示される。必要事項が入力されたり、操作内容が利用者によって押下されると、その指示に応じて画像処理部１０３が各機能を動作させる。また、各機能に応じた動作が終了した場合には、その旨が液晶ディスプレイに表示されるとともに、その旨を報知する報知音を出力する。尚、画像処理に関する操作は、液晶ディスプレイに対するタッチパネル方式に限らず、タブレット方式や、デジタル複合機１００に組み込まれる操作ボタンに対する押下などであってもよい。
【００２１】
ＩＤカード読取部１０２は、例えばカードリーダ等で構成される。図１に示すように、利用者が所有するＩＤ（Identity）カード１００ａが、デジタル複合機１００の挿入口１００ｂに挿入されると、ＩＤカード１００ａが有する利用者に関する情報を読取る。尚、ＩＤカード１００ａは、情報記録媒体の一例であって、デジタル複合機１００等を利用する利用者ごとにデジタル複合機１００を管理する管理者等から配布されたり、必要に応じて貸し渡されたりするカードである。社員証等と併用してもよい。ＩＤカード１００ａの材質には、紙、プラスチック、金属などが使用できる。また、デジタル複合機１００に利用者に関する情報を読み込ませる形態としては、挿入に限られず、非接触によって読み込ませるような形態としてもよい。
【００２２】
画像処理部１０３は、操作部１０１、ＩＤカード読取部１０２や、後述する印刷部１０４、識別情報書込部１０４、情報送信部１０５、その他デジタル複合機１００の有する各部の動作を制御する。画像処理部１０３は、コンピュータ、すなわち、図３に示すように、ＣＰＵ１０３ａ等の処理装置、ＳＲＡＭ(Static Random Access Memory)、ＤＲＡＭ(Dynamic RAM)やＳＤＲＡＭ（Synchronous DRAM）、ＮＶＲＡＭ（Non Volatile RAM）等のＲＡＭ１０３ｂ、フラッシュメモリ等のＲＯＭ(Read Only Memory)１０３ｃ、操作部１０１や印刷部１０４等の外部機能との入出力を行うＩ／Ｆ１０３ｄ等がバス１０３ｅにより接続されたハードウェア構成により実現される。
【００２３】
したがって、ＣＰＵ１０３ａがＲＯＭ１０３ｃに格納された所要のプログラムを読み込み、当該プログラムに従った演算を行うことにより、デジタル複合機１００内の各機能が実現される。また、後述するデータ管理用サーバ装置２００についても同様の構成を有する。尚、このようなプログラムとしては、後述するフローチャートに応じたプログラムとすることができる。
【００２４】
印刷部１０４は、いわゆるプリンタエンジンであって、レーザー光源、帯電器、反射ミラー、トナーカートリッジ等で構成される。例えばデジタル複合機１００に図形等が描画された文書がセットされ、利用者から操作部１０１を通じて印刷処理を行う旨の要求があった場合に、印刷部１０４は、図２に示すように、画像処理部１０３の制御にしたがって、当該図形等の複写物を記録用紙１５０に出力する。また、印刷部１０４は、印刷途中に紙づまり等の印刷ジャムを検出した場合に、その旨を情報送信部１０６に送信する。
【００２５】
識別情報書込部１０５は、例えばＲＦＩＤリーダ（Radio Frequency Identification Reader）やＲＦＩＤライタ（RFID Writer）等が該当する。記録用紙１５０に非接触型素子（以下、ＲＦＩＤタグという。）１５０ａが添付されている場合に、ＲＦＩＤタグ１５０ａが記憶する識別情報を無線通信により読取ったり、ＲＦＩＤタグ１５０ｂに識別情報を書込んだりする。ここで、識別情報は、例えば、記録用紙１５０を識別する管理番号に関する情報、ＩＤカード１００ａから取得した利用者に関する情報、所定の領域ＡＲからの持出を許可／不許可する旨の情報、記録用紙１５０の複写を許可／不許可する旨の情報等から構成される。また、管理番号は画像処理部１０３によって一意に決定される。識別情報書込部１０５が識別情報の書込処理を終えた場合には、管理番号及び利用者に関する情報を情報送信部１０６に送信する。尚、ＲＦＩＤリーダは、必要に応じて、構成すればよい。
【００２６】
尚、記録用紙１５０は、本発明の記録媒体の一例であって、その材質は紙だけに限られず、プラスチックや金属等であってもよい。また、記録用紙１５０に添付するＲＦＩＤタグ１５０ａの数は一つに限られず、例えば、複数のＲＦＩＤタグ１５０ａを添付して書込む情報を内容ごとに物理的に分けて書込むようにしてもよい。また、一つのＲＦＩＤタグ１５０ａにこれらの情報を論理的に分けて記憶するようにしてもよい。
【００２７】
情報送信部１０６は、例えばモデム、ターミナルアダプタ、光信号をデジタル信号に変換する手段等で構成され、印刷部１０４や識別情報書込部１０５等から送信される管理番号、利用者や印刷ジャムに関する情報を受信して、データ管理用サーバ装置２００に送信する。また、必要に応じて、これらの情報を暗号化したり、圧縮したりする手段を設けるようにしてもよい。
【００２８】
尚、デジタル複合機１００には、印刷部１０４や識別情報書込部１０５等に限られず、複写機能や光学的に文字を読取る処理を行うＯＣＲ(Optical Character Reader)機能、ファクシミリ機能、スキャナ機能等、画像処理に関する機能を適宜備えることができる。
【００２９】
続いて、データ管理用サーバ装置２００について詳しく説明する。
図４はデータ管理用サーバ装置２００の要部構成を示す機能ブロック図、図５は管理情報記憶部２０４の管理情報を示すテーブルある。
データ管理用サーバ装置２００は、図４に示すように、第１管理情報生成部２０１、第２管理情報生成部２０２、管理情報登録部２０３、管理情報記憶部２０４、表示制御部２０５等から構成される。
【００３０】
第１管理情報生成部２０１は、本発明の第１の生成手段の一例であって、記録用紙１５０を識別する識別情報が、記録用紙１５０に添付されたＲＦＩＤタグ１５０ａに書込まれた場合に、管理対象となる記録用紙１５０が発生した旨を示す第１の管理情報を生成する。ここで、第１の管理情報には、一例として、図５に示す管理コード「ＮＥＷ」や「ＪＡＭ」等が挙げられる。
【００３１】
例えば、利用者がデジタル複合機１００を操作して、記録用紙１５０へ図形等を印刷し、さらに、必要に応じて、記録用紙１５０のＲＦＩＤタグ１５０ａに識別情報を書込む場合に、デジタル複合機１００から送信される管理番号「０００１」、利用者「太郎」等を受信して、管理コード「ＮＥＷ」を生成し、当該管理コードに応じた管理内容「新規発生」及び当該管理内容が発生した発生時刻「２００７：０１：１３：１３：１５：５２」を生成する。また、デジタル複合機１００の印刷途中に、例えば紙づまり等の印刷ジャムが発生した場合には、その旨の管理コード「ＪＡＭ」等を生成する。
【００３２】
第２管理情報生成部２０２は、本発明の第２の生成手段の一例であって、ＲＦＩＤタグ１５０ａの状態に変化があったことをセンサー３００ａ、３００ｂが検知した場合に、その変化に関する第２の管理情報を取得先のセンサーに応じて生成する。ここで、第２の管理情報は、例えば、図５に示す管理コード「ＯＦＦ」、「ＯＮ」、「ＯＵＴ」、「ＩＮ」、「ＢＲＥＡＫ」等が該当する。また、ＲＦＩＤタグ１５０ａの変化としては、例えば、センサー３００ｂ等がＲＦＩＤタグ１５０ａを検知できていた状態から検知できなくなる変化、逆に、そのような状態から再度、検知できるようになる変化、所定の領域ＡＲ内にあったＲＦＩＤタグ１５０ａが所定の領域ＡＲ外に出る変化や所定の領域ＡＲ外から所定の領域ＡＲ内に入る変化等がある。尚、所定の領域ＡＲには、例えば、住居や事業所の一室、ビル等の建物が該当する。
【００３３】
管理情報登録部２０３は、本発明の登録手段の一例であって、上述した第１の管理情報及び第２の管理情報を、本発明の記憶手段の一例となる管理情報記憶部２０４に登録する。この結果、管理情報記憶部２０４には、図５に示すような、管理情報が記憶される。尚、記憶手段としては、例えば、ハードディスクやフラッシュメモリ等が該当する。
【００３４】
表示制御部２０５は、本発明の表示制御手段の一例であって、例えばデータ管理用サーバ装置２００に、液晶ディスプレイやＣＲＴディスプレイ等、図示しない表示手段を接続した場合に、管理情報記憶部２０４から管理情報を抽出し、表示手段に表示させる。さらに、表示制御部２０５に、キーボードやマウス等の入力手段を接続し、入力手段からの入力値に応じた管理情報を表示手段に表示させるようにしてもよい。利用者は表示手段を確認することにより、記録用紙１５０の存在を把握できる。
【００３５】
続いて、図１に示すセンサー３００ａ、３００ｂ等について説明する。
センサー３００ａは、本発明の検知手段の一例であって、図１に示すように、例えば所定の領域ＡＲ内に対する出入り口近傍に設置される。センサー３００ａの近傍にＲＦＩＤタグ１５０ａが接近した場合には、センサー３００ａはＲＦＩＤタグ１５０ａが所定の領域ＡＲから出るものと電波等によって検知し、ＲＦＩＤタグ１５０ａの有する管理番号及び利用者をデータ管理サーバ２００に送信する。したがって、利用者が記録用紙１５０を持って外出する場合には、その結果がデータ管理サーバ２００に登録される。
【００３６】
尚、センサー３００ａとＲＦＩＤタグ１５０ａの接近距離は設計事項であって特に限定されるものではない。また、出入り口近傍に設置されるセンサー３００ａは、図示しないが、所定の領域ＡＲ外に対しても設置され、当該センサーは、ＲＦＩＤタグ１５０ａが所定の領域ＡＲへ入るものと電波等によって検知し、ＲＦＩＤタグ１５０ａの有する管理番号及び利用者に関する情報をデータ管理サーバ２００に送信する。
【００３７】
センサー３００ｂも、本発明の検知装置の一例であって、図１に示すように、例えば所定の領域ＡＲ内の天井等に設定される。センサー３００ｂは、所定の領域ＡＲ内のＲＦＩＤタグ１５０ａに対して一定周期でポーリング等によって電波を発信する。当該周期は設計に応じて任意に変更可能である。尚、天井に設置されるセンサー３００ｂの数は、特に限定されるものではない。
【００３８】
センサー３００ｂが発信する電波に対して、ＲＦＩＤタグ１５０ａが応答する場合には、ＲＦＩＤタグ１５０ａが所定の領域ＡＲ内に存在することを確認する。一方、例えば、電波を遮断する箱などに記録用紙１５０が入れられた場合には、センサー３００ｂはＲＦＩＤタグ１５０ａを検知できず、ＲＦＩＤタグ１５０ａに変化があったと判断し、管理番号及び利用者に関する情報をデータ管理サーバ２００に送信する。逆に、センサー３００ｂがＲＦＩＤタグ１５０ａを検知できない状態から、検知できる状態になった場合には、ＲＦＩＤタグ１５０ａに変化があったと判断し、管理番号及び利用者に関する情報等をデータ管理サーバ２００に送信する。
【００３９】
したがって、上述した構成により、利用者はＲＦＩＤタグ１５０ａが添付された記録用紙１５０を持って、所定の領域ＡＲ外から外出する場合には、センサー３００ａによって、ＲＦＩＤタグ１５０ａが所定の領域ＡＲ外から出る旨が検知され、これがデータ管理用サーバ装置２００に登録される。また、利用者はＲＦＩＤタグ１５０ａが添付された記録用紙１５０を電波の遮断する箱などに入れた場合には、センサー３００ｂによって、ＲＦＩＤタグ１５０ａを検知できず、その旨がデータ管理用サーバ装置２００に登録される。
【００４０】
また、データ管理システムの構成に、例えばシュレッダー等を含めてもよい。当該シュレッダーにはＲＦＩＤタグ１５０ａが添付された記録用紙１５０が裁断される旨を検知するセンサーが形成される。したがって、ＲＦＩＤタグ１５０ａが添付された記録用紙１５０が裁断される場合には、管理番号及び利用者に関する情報がネットワーク４００を介してデータ管理サーバ２００に送信され、登録される。
【００４１】
続いて、データ管理システムの動作について図６及び図７を参照して説明する。
図６はデジタル複合機の動作の一例を示すフローチャート、図７はデータ管理用サーバ装置の動作の一例を示すフローチャートである。
まず、デジタル複合機１００の動作について図６を参照して説明する。
デジタル複合機１００は、図６に示すように、まず、自身に文書がセットされると、利用者からの印刷要求があるまで待機を続け（ステップＳ１）、印刷要求を検出すると、記録用紙１５０に添付されるＲＦＩＤタグに対する識別情報の書込設定を検出したか否かを判断する（ステップＳ２）。
【００４２】
デジタル複合機１００は、ここで、識別情報の書込設定を検出した場合には、当該識別情報をＲＦＩＤタグ１５０ａに書込み（ステップＳ３）、次いで、識別情報に含まれる管理番号や利用者に関する情報をデータ管理用サーバ装置２００に送信する（ステップＳ４）。そして、デジタル複合機１００は、文書に描画された内容を記録用紙１５０に印刷する（ステップＳ５）。一方、識別情報の書込設定を検出しなかった場合には、ステップＳ３及びステップＳ４の処理を行わずに、印刷処理を行う。
【００４３】
デジタル複合機１００は、次いで、印刷途中に印刷ジャムを検出したか否かを判断する（ステップＳ６）。そして、デジタル複合機１００は、印刷ジャムを検出した場合には、印刷ジャムに関する情報をデータ管理用サーバ装置２００に送信し（ステップＳ７）、検出しなかった場合には、ステップＳ７の処理を行わずに、処理を終了する。
【００４４】
次に、データ管理用サーバ装置２００の動作について図７を参照して説明する。
データ管理用サーバ装置２００は、図７に示すように、デジタル複合機１００やセンサー３００ａ、３００ｂ等から管理番号等を受信するまで待機状態を続け（ステップＳ１１）、管理番号等を受信すると、データ管理用サーバ装置２００は、まず、デジタル複合機１００から受信したか否かを判断する（ステップＳ１２）。
【００４５】
データ管理用サーバ装置２００は、ここで、デジタル複合機１００から受信したと判断した場合には、次いで、受信した情報に、印刷ジャムに関する情報が含まれているか否かを判断する（ステップＳ１３）。そして、印刷ジャムに関する情報が含まれていないと判断した場合には、管理対象の新規発生を意味する管理情報「ＮＥＷ」を生成し（ステップＳ１４）、印刷ジャムに関する情報が含まれていると判断した場合には、印刷ジャムを意味する管理情報「ＪＡＭ」を生成する（ステップＳ１５）。
【００４６】
一方、データ管理用サーバ装置２００は、ステップＳ１２の処理において、デジタル複合機１００から受信していないと判断した場合には、取得元のセンサーに応じた管理情報を生成する（ステップＳ１６）。すなわち、所定の領域ＡＲ内に設置されたセンサー３００ａからの受信であれば、外出を意味する管理情報「ＯＵＴ」を生成したり、天井に設置されたセンサー３００ｂからの受信であれば、遮断を意味する管理情報「ＯＦＦ」や遮断解除を意味する管理情報「ＯＮ」を生成したりする。
【００４７】
データ管理用サーバ装置２００は、ステップＳ１４、ステップＳ１５やステップＳ１６の処理を終えると、生成された管理情報を記憶して（ステップＳ１７）、処理を終了する。
【００４８】
尚、本発明は、上述した実施形態に限定されるものではなく、その要旨を逸脱しない範囲内で種々変形して実施することが可能である。例えば、本発明のプログラムを通信手段により提供することはもちろん、ＣＤ−ＲＯＭ等の記録媒体に格納して提供することも可能である。
【産業上の利用可能性】
【００４９】
以上説明したように、本発明によれば、記録用紙のＲＦＩＤタグがセンサーの検知範囲外となった場合であっても、記録用紙の存在を把握でき、産業上の利用可能性が高い。
【図面の簡単な説明】
【００５０】
【図１】データ管理システムの構成図である。
【図２】デジタル複合機の要部構成を示す機能ブロック図である。
【図３】画像処理部のハードウェア構成を示す機能ブロック図である。
【図４】データ管理用サーバ装置の要部構成を示す機能ブロック図である。
【図５】管理情報に関するテーブルである。
【図６】デジタル複合機の動作の一例を示すフローチャートである。
【図７】データ管理用サーバ装置の動作の一例を示すフローチャートである。
【符号の説明】
【００５１】
１００  デジタル複合機
１００ａ  ＩＤカード
１００ｂ  挿入口
１０１  操作部
１０２  ＩＤカード読取部
１０３  画像処理部
１０３ａ  ＣＰＵ
１０３ｂ  ＲＡＭ
１０３ｃ  ＲＯＭ
１０３ｄ  Ｉ／Ｆ
１０３ｅ  バス
１０４  印刷部
１０５  識別情報書込部
１０６  情報送信部
１５０  記録用紙
１５０ａ  ＲＦＩＤタグ
２００  データ管理用サーバ装置
３００ａ、３００ｂ  センサー
４００  ネットワーク
ＡＲ  所定の領域
【図１】
2009009425.tif 000003
【図２】
2009009425.tif 000004
【図３】
2009009425.tif 000005
【図４】
2009009425.tif 000006
【図５】
2009009425.tif 000007
【図６】
2009009425.tif 000008
【図７】
2009009425.tif 000009